(57)【要約】【課題】  インクジェット記録装置が何らかの要因で電源が遮断された場合、表示能力の乏しい機器において、電源オフ時の原因を明らかにすることができるインクジェット記録装置を提供することを目的とする。【解決手段】  インクジェット記録装置とデジタルカメラとを具備するダイレクトプリントシステムにおいて、印刷設定情報、環境を含む印刷に関する情報を格納する復元データ格納部と、電源遮断の要因データを格納する要因データ格納部と、上記復元データ格納部の情報と上記要因データ格納部の情報とを、上記デジタルカメラに通知するか否かを判断する通知判断部とを有することを特徴とするインクジェット記録装置である。【選択図】  図１
2006159589.tif 000002
【特許請求の範囲】
【請求項１】
インクジェット記録装置とデジタルカメラとを具備するダイレクトプリントシステムにおいて、
印刷設定情報、環境を含む印刷に関する情報を格納する復元データ格納部と、
電源遮断の要因データを格納する要因データ格納部と、
上記復元データ格納部の情報と上記要因データ格納部の情報とを、上記デジタルカメラに通知するか否かを判断する通知判断部と、
を有することを特徴とするインクジェット記録装置。
【請求項２】
インクジェット記録装置とデジタルカメラとを具備するダイレクトプリントシステムにおいて、
上記インクジェット記録装置から送られた印刷設定情報、環境を含む印刷に関する情報を格納する情報格納部と、
上記印刷に関する情報を上記情報格納部に格納するか否かを設定する設定部と、
を有することを特徴とするデジタルカメラ。
【請求項３】
請求項２において、
上記設定部は、復元データ通知モード、復元データ非通知モードを含むことを特徴とするデジタルカメラ。
【請求項４】
請求項１において、
上記復元データ格納部の情報と上記要因データ格納部の情報とを、上記デジタルカメラに送信する復元・要因データ送信部が設けられ、
上記復元データ格納部は、復元データ作成部を有し、
上記要因データ格納部は、要因データ作成部を有することを特徴とするインクジェット記録装置。
【請求項５】
請求項１において、
上記インクジェット記録装置に設けられ、電源が遮断されたときに、上記デジタルカメラが接続されていると、そのデバイス情報を格納するデバイス情報格納部を有し、
上記復元判断部は、上記インクジェット記録装置が電源をオンした際に、電源遮断時と同じ上記デジタルカメラが接続されているか否かを判断することを特徴とするインクジェット記録装置。
【請求項６】
インクジェット記録装置とデジタルカメラとを具備するダイレクトプリントシステムにおいて、
一定の周期で、印刷設定情報、環境等印刷に関する情報を、保存する復元データ格納部を有することを特徴とするインクジェット記録装置。
【発明の詳細な説明】
【技術分野】
【０００１】
本発明は、デジタルカメラ、デジタルビデオカメラ等のデバイスとインクジェット記録装置との接続に係り、特に、システム情報等の保存、通信を行うダイレクトプリントシステムに関する。
【背景技術】
【０００２】
従来、種々の情報を表示する表示装置が提案され、このような表示装置において、起動時に、起動状態に関する種々のコメントを画面に表示し、その起動状態を容易に把握し得る装置がある。
【０００３】
また、不揮発性のメモリやバックアップ用の一時電源等の情報保存機能を設け、停電時や電源オフ時においても、表示内容をメモリに記憶できるようにし、また、起動時には、メモリから読み出し、保存情報を表示する装置がある。
【０００４】
システムがダウンした場合、システムダウン前に画面に表示されていた内容を、表示領域のメモリ性を用いて表示、保存する技術が知られている（たとえば、特許文献１参照）。
【０００５】
しかし、上記のように、起動時にコメントを表示するようにしただけで、情報保存機能が付加されていない装置では、電源遮断によって情報が消失し、システムの復旧が困難となり、その後の復旧処理を円滑に行うことができないという問題がある。
【０００６】
一方、情報保存機能が付加され、起動時には、その保存情報を表示する装置において、画面には保存情報のみが表示され、装置の起動状態を把握できないという問題がある。また、上記のように、不揮発性のメモリや一時電源によって情報を保存する場合、装置が高価であり、パーソナル機器には適用しにくいという問題がある。特に、近年は、表示画面の大型化に伴い、保存すべき情報が増大し、上記のような情報保存機能は高価である。しかも、上記情報保存機能は、大規模なシステムを再起動させるか、特別な装置を用いて、保存された情報を再生するので、消費電力や起動までの時間等の点で、満足のいくものではない。
【０００７】
したがって、従来の表示装置は、上記のように、システムエラーや、ハードウェアのトラブルが生じた場合、一度、電源をオフにすると、その原因が不明になるという問題を何ら解消できない。
【０００８】
そこで近年、メモリ性を有する表示手段を具備することによって、単純で且つ安価なシステムにおいて、電源がオフされても、それ以前の情報を表示する装置が提案されている。このシステムは、双方向の通信路を有し、制御システムが、電源オフ時に、通信路を介して、電源オフ状態にあることを通知することもできる。
【特許文献１】特開平８‐１６０３９５号公報
【発明の開示】
【発明が解決しようとする課題】
【０００９】
しかし、デジタルカメラとインクジェット記録装置とを接続し、印刷するダイレクトプリントを想定する場合、高解像度の画像を印刷すると、印刷時間が長いので、ユーザはデジタルカメラをインクジェット記録装置から切断し、デジタルカメラ画像の閲覧や次の印刷の準備を行うことが考えられる。
【００１０】
この状況下で、インクジェット記録装置が、何らかのエラーによって電源が遮断、または印刷が停止した場合、デジタルカメラのＵＩ（ユーザインタフェース）に、その要因を通知することができないという問題がある。
【００１１】
また、インクジェット記録装置のような表示能力が低い機器において、機器本体のエラー表示のみでは、ユーザが現状を把握することが難しいという問題がある。
【００１２】
本発明は、インクジェット記録装置が何らかの要因で電源が遮断された場合、表示能力の乏しい機器において、電源オフ時の原因を明らかにすることができるインクジェット記録装置を提供することを目的とする。
【課題を解決するための手段】
【００１３】
本発明は、インクジェット記録装置とデジタルカメラとを具備するダイレクトプリントシステムにおいて、印刷設定情報、環境を含む印刷に関する情報を格納する復元データ格納部と、電源遮断の要因データを格納する要因データ格納部と、上記復元データ格納部の情報と上記要因データ格納部の情報とを、上記デジタルカメラに通知するか否かを判断する通知判断部とを有することを特徴とするインクジェット記録装置である。
【００１４】
また、本発明は、インクジェット記録装置とデジタルカメラとを具備するダイレクトプリントシステムにおいて、上記インクジェット記録装置から送られた印刷設定情報、環境を含む印刷に関する情報を格納する情報格納部と、上記印刷に関する情報を上記情報格納部に格納するか否かを設定する設定部とを有することを特徴とするデジタルカメラである。
【発明の効果】
【００１５】
本発明によれば、インクジェット記録装置の電源が、何らかの要因で遮断された場合、電源遮断時の状態を、インクジェット記録装置側で保持し、電源を再度オンし復帰した後に、表示能力のあるデジタルカメラを接続した際に、保持していた遮断の要因、遮断前の設定状況等を、双方向通信によって、デジタルカメラに通知し、表示するので、表示能力の乏しいインクジェット記録装置における電源オフ時の原因を明らかにすることができるという効果を奏する。
【発明を実施するための最良の形態】
【００１６】
発明を実施するための最良の形態は、次の実施例である。
【実施例１】
【００１７】
図１は、本発明の実施例１であるダイレクトプリントシステム１００を示す図である。
【００１８】
ダイレクトプリントシステム１００は、デジタルカメラ１０とインクジェット記録装置３０とを有する。
【００１９】
デジタルカメラ１０は、接続コードＣを介して、インクジェット記録装置３０と接続され、相互に情報を交信する。
【００２０】
デジタルカメラ１０は、インクジェット記録装置３０と接続されている状態では、デジタルカメラ１０の本体内または後述するＩＣカード内に記憶されている画像を、インクジェット記録装置３０に出力することができる。
【００２１】
図２は、デジタルカメラ１０の概略構成を表すブロック図である。
【００２２】
デジタルカメラ１０は、撮像部１１と、画像処理部１２と、ＣＰＵ１３と、復元データ格納部１４と、ＲＯＭ１５と、ＲＡＭ１６と、Ｉ／Ｆ１７と、シャッタスイッチ（ＳＷ）１８と、表示部１９と、電源２０と、モード設定部２１とを有する。
【００２３】
電源２０を投入した後に、撮影動作モードにスイッチが切り替えられると、撮像部１１と画像処理部１２とを含むカメラモジュールを、初期化し、また、動作可能な状態にし、撮影時に被写体を確認するための電子ビューファインダである表示部１９の動作が開始される。
【００２４】
次に、表示部１９に、被写体が表示されるまでの動作について説明する。
【００２５】
撮像部１１から取り込んだ被写体の光情報を、全画素読み出し方式のＣＣＤが電気信号に変換する。変換されたアナログ信号は、ノイズ除去処理とゲイン処理とを経て、デジタル信号へＡ／Ｄ変換された後に、画像処理部１２へ送信される。
【００２６】
画像処理部１２は、オートホワイトバランス、ＡＥ等の処理、またはＹ・Ｃｂ・Ｃｒ信号フォーマットへの変換処理を行う。Ｙ・Ｃｂ・Ｃｒ信号変換された信号は、ＣＰＵ１３が、表示用の処理速度を上げるために、表示解像度を変更し、表示画像データを格納するために、ＲＡＭ１６に書き込まれ、ＤＭＡ転送によって、定常的に表示部１９に出力される。
【００２７】
復元データ格納部１４は、何らかの原因によって、接続先の電源が遮断された場合、次の電源オン時または、再接続後に、電源遮断の要因データ、遮断前の設定情報等の環境データを格納する。また、復元データ格納部１４のデータを格納するか否かを設定するモード設定部２１を有している。なお、ＲＯＭ１５は、ＣＰＵ１３の制御プログラムを格納するリード・オンリー・メモリであり、電源２０から出力された電源電圧は、適切な電圧に調整され、各部品に供給される。
【００２８】
表示部１９は、表示駆動回路を制御し、所望の画像を、ＬＣＤ表示装置に表示させるＬＣＤ制御回路、ＬＣＤ制御回路で制御されるＶＲＡＭ、ＬＣＤ表示装置を駆動する表示駆動回路、電子ビューファインダとなるＬＣＤ表示装置を有する。
【００２９】
シャッタスイッチ（ＳＷ）１８は、シャッタレリーズ信号を発生する。電源２０は、単３電池やＮｉ−ｃｄ電池等の電源を使用する。Ｉ／Ｆ１７は、外部装置と通信する。画像を撮影する場合、ユーザが、撮影動作モードで、画像をモニタし、任意の時点でシャッタスイッチ（ＳＷ）１８を押す。
【００３０】
ＣＰＵ１３は、このデータをＪＰＥＧ規格に準拠した画像圧縮処理を行った後に、任意の番号や日付データ等の数値データをファイル名として付加し、機器の任意のフォルダに書き込む。ここで撮影した画像を再生表示する場合、ＪＰＥＧ規格に準拠したＶＧＡ画像分の圧縮データを、元データ（Ｙ・Ｃｂ・Ｃｒ信号）へ変換し、この解凍された元データを表示部１９に表示する。また、モード設定部２１で設定されたモードによっては、復元データを、復元データ格納部１４から読み取り、表示部１９に表示する。
【００３１】
図３は、インクジェット記録装置３０を示すブロック図である。
【００３２】
インクジェット記録装置３０は、印刷コントローラ４０と、印刷エンジンＰＥとを有する。
【００３３】
印刷コントローラ４０は、接続相手から印刷の割り込みを受け付け、印刷用の画像データを受信する。印刷エンジンＰＥは、印刷コントローラ４０から供給されるデータに従って画像を印刷する。
【００３４】
印刷コントローラ４０は、制御回路４３と、フラッシュＲＯＭ５２と、ＲＯＭ５３と、ＥＥＰＲＯＭ５４と、インタフェース回路５５と、Ｂｕｆ５６と、復元データ格納部５７と、要因データ格納部５８と、復元・要因データ送信部５９と、ＩＥＥＥ１２８４Ｓｅｒｉａｌ  Ｅｎｇｉｎｅ６０と、ＵＳＢ  ＩＥＥＥ１３８４  ６１とを有する。
【００３５】
制御回路４３は、ＣＰＵコントローラ４５と、ＳＲＡＭ４６と、画像処理回路４７と、圧縮／解凍回路４８と、ＳＲＡＭコントローラ４９と、復元判断部５０とを有する。また、制御回路４３は、ＣＰＵ４４の制御回路シーケンスプログラムの実行に応答して所定の画像処理を行い、印刷用の画像データに対応する印刷駆動信号を、印刷エンジンＰＥに供給する。また、制御回路４３は、バスを介して、フラッシュＲＯＭ５２、ＲＯＭ５３、ＥＥＰＲＯＭ５４、インタフェース回路５５に接続されている。
【００３６】
ＣＰＵ４４は、印刷シーケンス用のプログラムを実行する。コントローラ４５は、ＣＰＵ４４をコントロールする。ＳＲＡＭ４６は、色変換や、ハーフトーン処理時に必要なテーブルデータ等を格納している。
【００３７】
画像処理回路４７は、色変換やハーフトーン処理等の画像処理を行う。コントローラ４９は、ＳＤＲＡＭ５１をコントロールする。
【００３８】
復元判断部５０は、接続されたデジタルカメラ１０によって復元を行うか否かを判断し、つまり、格納部５７、５８のデータをデジタルカメラ１０に通知するか否かを判断し、この判断によって、復元・要因データ送信部５９からデジタルカメラ１０にデータを送信する。
【００３９】
ＳＤＲＡＭ５１は、画像データ格納用のメモリである。ＲＯＭ５３は、プログラムメモリ等で構成され、起動時にプログラムをロードするためのプログラムを格納し、このプログラムメモリには、画像データを適宜処理するためのプログラムや、インタフェース回路５５が受け付けた割り込み命令に対する処理を行うインタフェース制御プログラムや印刷エンジンＰＥを制御する印刷エンジン制御プログラム等をも格納する。
【００４０】
ＥＥＰＲＯＭ５４は、インク消費量のカウント数や、各用紙の印刷枚数、シリアル番号等の情報が格納されている。
【００４１】
インタフェース回路５５は、たとえばＡＳＩＣによって構成され、シリアル、ＩＥＥＥ１２８４等各種ポートを備え、バスを介して、ＵＳＢポート６１等に接続し、接続対象機器と接続する。Ｂｕｆ５６は、オプション用の増設メモリに接続される。
【００４２】
復元データ格納部５７は、何らかの原因によって電源が遮断した際に、その要因と、その時の設定とを格納する。つまり、復元データ格納部５７は、電源遮断時の印刷設定、環境設定等を格納する。
【００４３】
要因データ格納部５８は、電源遮断の要因を格納し、インクジェット記録装置３０が遮断した原因を復元・要因データ送信部５９に送信する要因データ作成部を有する。復元・要因データ送信部５９は、復元データ格納部５７、要因データ格納部５８のデータを送信する。
【００４４】
次に、インクジェット記録装置３０がなんらかの原因で電源遮断した際の処理について説明する。
【００４５】
図４は、インクジェット記録装置３０がなんらかの原因で電源遮断した際の処理を示すフローチャートである。
【００４６】
まず、インクジェット記録装置３０でエラーが発生した場合（Ｓ１）、そのエラーがインクジェット記録装置３０の電源を遮断するようなエラーであるかどうかを判断する（Ｓ２）。このエラーによってインクジェット記録装置３０の電源を遮断しなくても大丈夫である場合、本体のＬＥＤ、またはデジタルカメラ１０へ、上記エラーを通知し、表示部１９に表示する（Ｓ３）。一方、インクジェット記録装置３０の電源を遮断しなければならないエラーである場合、そのエラーの要因を要因データ格納部５８に保存する（Ｓ４）。
【００４７】
インクジェット記録装置３０の電源を遮断しなければならないエラーの要因は、過度の電流が印加された場合等である。要因データ格納部５８に設けられている要因データ作成部が、上記要因に応じて、デジタルカメラ１０に通知するデータを作成する（Ｓ５）。
【００４８】
次に、インクジェット記録装置３０が遮断時の設定情報、環境等をＳＤＲＡＭ５１から取得し、復元データ格納部５７に格納する（Ｓ６）。その後に、デジタルカメラ１０に通知するためのデータを作成する（Ｓ７）。上記作業を終了した後に、電源遮断処理を行い、インクジェット記録装置３０の電源を遮断する（Ｓ８）。
【００４９】
次に、インクジェット記録装置３０がなんらかの原因で電源遮断した後に電源をオンする処理について説明する。
【００５０】
図５は、インクジェット記録装置３０がなんらかの原因で電源遮断した後に電源をオンする処理を示すフローチャートである。
【００５１】
インクジェット記録装置３０で発生したエラー要因を取り除いた後に、電源をオンし、デジタルカメラ１０を接続する（Ｓ１１）。要因データ格納部５８に要因データが格納されているかどうかをチェックし（Ｓ１２）、格納されていなければ、インクジェット記録装置３０が正常終了したと判断し、デジタルカメラ１０との間で、通常の接続を行う（Ｓ１３）。要因データが格納されていれば、要因・復元データ送信部５９が、要因データを送信する（Ｓ１４）。
【００５２】
次に、復元データ格納部５７に復元データがあるかどうかチェックし（Ｓ１５）、復元データが格納されていれば、要因・復元データ送信部５９が、復元データを送信する（Ｓ１６）。
【００５３】
次に、インクジェット記録装置３０がなんらかの原因で電源を遮断した際に、デジタルカメラ１０が接続されていない可能性を考慮した処理について説明する。
【００５４】
図６は、インクジェット記録装置３０がなんらかの原因で電源を遮断した際に、デジタルカメラ１０が接続されていない可能性を考慮した処理を示すフローチャートである。
【００５５】
まず、インクジェット記録装置３０でエラーが発生した場合（Ｓ２１）、そのエラーがインクジェット記録装置３０の電源を遮断するようなエラーかどうかを判断する（Ｓ２２）。このエラーによってインクジェット記録装置３０の電源を遮断しなくても大丈夫な場合、本体のＬＥＤ、またはデジタルカメラ１０へ、上記エラーを通知し、表示部１９に表示する（Ｓ２３）。
【００５６】
一方、インクジェット記録装置３０の電源を遮断しなければならないエラーである場合、そのエラーの要因を、要因データ格納部５８に保存する（Ｓ２４）。インクジェット記録装置３０の電源を遮断しなければならないエラーの要因は、過度の電流が印加された場合等である。そして、デジタルカメラ１０に通知する要因データを作成し（Ｓ２５）、インクジェット記録装置３０が遮断時の設定情報、環境等を、ＳＤＲＡＭ５１から取得し、復元データ格納部５７に格納する（Ｓ２６）。その後に、デジタルカメラ１０に通知するためのデータを作成する（Ｓ２７）。
【００５７】
次に、インクジェット記録装置３０にデジタルカメラ１０が接続されているかどうかを、復元判断部５０がチェックする（Ｓ２８）。このチェック方法は、ＯＨＣＩのレジスタ（ＯＨＣＩは、「Ｏｐｅｎ  Ｈｏｓｔ  Ｃｏｎｔｒｏｌｌｅｒ  Ｉｎｔｅｒｆａｃｅ」の略称であり、ＵＳＢホストコントローラチップの規格に対応したレジスタである）を調べる方法でもよく、また、ポート電源を調べる方法でもよい。デジタルカメラ１０が接続されていれば、そのデバイス情報を、復元判断部５０に保存する（Ｓ２９）。接続されていなければ、デバイス情報を保存しない。ここでいう「デバイス情報」は、プロダクトＩＤや機器に割り当てられているＭＡＣアドレス等機器を特定できる情報である。上記作業を終了した後に、電源遮断処理を行い、インクジェット記録装置３０の電源を遮断する（Ｓ３０）。
【００５８】
次に、インクジェット記録装置３０がなんらかの原因で電源遮断した後に電源オンした際に、復元判断部５０でチェックしたデバイス情報に基づいて行う復元処理について説明する。
【００５９】
図７は、インクジェット記録装置３０がなんらかの原因で電源遮断した後に電源オンした際に、復元判断部５０でチェックしたデバイス情報に基づいて、復元処理を実行するフローチャートである。
【００６０】
インクジェット記録装置３０で発生したエラー要因を取り除いた後に、電源をオンしデジタルカメラ１０を接続する（Ｓ４１）。この時に接続されたデジタルカメラ１０が、電源遮断時のデジタルカメラ１０と同一であるかどうかを、復元判断部５０が判断する（Ｓ４２）。一致しない場合、すなわち、電源遮断時にデジタルカメラ１０が接続されてなく、エラー発生の原因は、インクジェット記録装置３０にあると判断できる場合、エラー要因の通知を行わない。
【００６１】
一方、デバイスデータと一致した場合、電源遮断時にデジタルカメラ１０が接続されていた可能性があり、エラーの原因が、デジタルカメラ１０にも起因している可能性があると判断し、エラー要因を通知する（Ｓ４４）。そして、復元データ格納部５７に復元データがあるかどうかをチェックし（Ｓ４５）、復元データが格納されていれば、要因・復元データ送信部５９が復元データを送信する（Ｓ４６）。
【００６２】
次に、エラー要因、復元データを受信するデジタルカメラ１０の処理について、説明する。
【００６３】
図８は、エラー要因、復元データを受信するデジタルカメラ１０の処理を示すフローチャートである。
【００６４】
まず、インクジェット記録装置３０とデジタルカメラ１０とを接続し（Ｓ５１）、この接続後に、要因データを受信すれば（Ｓ５２）、デジタルカメラ１０に指定されているモードが復元データ通知モードであるかどうかを判断し（Ｓ５３）、復元データ通知モードに設定されていれば、受信した要因データを保存し（Ｓ５４）、通知モード以外のモード（たとえば「復元データ非通知モード」）が設定されていれば、切断前の状態を確認する必要がないと判断し、要因データを保存しない。
【００６５】
次に、復元データを受信し（Ｓ５５）、デジタルカメラ１０が復元モードに設定されていれば（Ｓ５６）、復元データを保存し（Ｓ５７）、復元モード以外が設定されていれば、切断前の設定状態を復元する必要がないと判断し、復元データの保存を行わない。
【００６６】
次に、要因、復元どちらかのデータがある場合（Ｓ５８）、そのデータを、デジタルカメラ１０の表示部１９に表示する（Ｓ５９）。上記「モード」は、デジタルカメラ１０の表示から選択することができ、たとえば非通知モードや、接続時設定環境の復元のみ行うモード等である。
【００６７】
このように、復元判断部５０は、接続されたデジタルカメラ１０によって復元を行うか否かを判断し、つまり、格納部５７、５８のデータをデジタルカメラ１０に通知するか否か（通知モードであるか否か）を判断し、この判断によって、復元・要因データ送信部５９からデジタルカメラ１０にデータを送信する。
【００６８】
なお、上記「復元データ通知モード」は、システムダウン前の設定情報等を通知して欲しい場合に設定するモードである。また、上記「復元データ非通知モード」は、システムダウン前の設定情報等を通知して欲しくない場合に設定するモードであり、このモードによって、システムダウン復帰後に、短時間で最初の処理を実行することができる（設定情報が通知するモードの場合、通信処理を実行するために処理が遅れてしまう）。
【００６９】
また、上記「復元データ」は、電源切断時に設定されていた各種設定情報であり、たとえば、印刷（記録）時の紙サイズ、印刷品質、日付設定の有無、レイアウトなど、電源が切断されてしまう前の設定情報である。
【実施例２】
【００７０】
図９は、本発明の実施例２であるインクジェット記録装置３０の処理を示し、つまり、インクジェット記録装置３０のエラーの発生を監視し、要因・復元データを保存する処理を示すフローチャートである。
【００７１】
インクジェット記録装置３０の電源がオンされた状態をＢとすると（Ｓ６１）、オン時からｔｉｍｅＡのカウントを開始し、ｔｉｍｅＡ時間が、インクジェット記録装置３０で予め決めたｔｉｍｅＢ時間よりも長くなった場合（Ｓ６２）、処理Ａを実行し（Ｓ６３）、それ以外の時は、状態Ｂに戻る。処理Ａでは、その時点での設定、環境を保存する。
【００７２】
インクジェット記録装置３０が、なんらかの原因で電源遮断された際に、要因データや復元データを保存する処理を行う前に、システムが停止する可能性があるので、このようにすることによって、そのような状況に陥っても、要因データや復元データを、一定の周期で更新しながら、保存するので、電源オン時に送信できないという問題を解決することができる。
【００７３】
図１０は、処理Ａの内容を示すフローチャートである。
【００７４】
処理Ａでは、復元データを保存する（Ｓ７１）。
【図面の簡単な説明】
【００７５】
【図１】本発明の実施例１であるダイレクトプリントシステム１００を示す図である。
【図２】デジタルカメラ１０の概略構成を表すブロック図である。
【図３】インクジェット記録装置３０を示すブロック図である。
【図４】インクジェット記録装置３０がなんらかの原因で電源遮断した際の処理を示すフローチャートである。
【図５】インクジェット記録装置３０がなんらかの原因で電源遮断した後に電源をオンする処理を示すフローチャートである。
【図６】インクジェット記録装置３０がなんらかの原因で電源を遮断した際に、デジタルカメラ１０が接続されていない可能性を考慮した処理を示すフローチャートである。
【図７】インクジェット記録装置３０がなんらかの原因で電源遮断した後に電源オンした際に、復元判断部５０でチェックしたデバイス情報に基づいて、復元処理を実行するフローチャートである。
【図８】エラー要因、復元データを受信するデジタルカメラ１０の処理を示すフローチャートである。
【図９】本発明の実施例２であるインクジェット記録装置３０の処理を示し、つまり、インクジェット記録装置３０のエラーの発生を監視し、要因・復元データを保存する処理を示すフローチャートである。
【図１０】処理Ａの内容を示すフローチャートである。
【符号の説明】
【００７６】
１００…ダイレクトプリントシステム、
１０…デジタルカメラ、
１１…撮像部、
１２…画像処理部、
１３…ＣＰＵ、
１４…復元データ格納部、
１５…ＲＯＭ、
１６…ＲＡＭ、
１７…Ｉ／Ｆ、
１８…シャッタＳＷ、
１９…表示部、
２０…電源、
２１…モード設定部、
３０…インクジェット記録装置、
４０…印刷コントローラ、
４３…制御部、
４７…画像処理回路、
５７…復元データ格納部、
５８…要因データ格納部、
５９…復元・要因データ送信部、
ＰＥ…印刷エンジン。
【図１】
2006159589.tif 000003
【図２】
2006159589.tif 000004
【図３】
2006159589.tif 000005
【図４】
2006159589.tif 000006
【図５】
2006159589.tif 000007
【図６】
2006159589.tif 000008
【図７】
2006159589.tif 000009
【図８】
2006159589.tif 000010
【図９】
2006159589.tif 000011
【図１０】
2006159589.tif 000012